(57)【要約】【課題】  置場内の物品を簡単に探し出す。また、物品の属性情報とともに、物品の管理を行なう。【解決手段】  物品を探索をするオペレータが、呼出機３０のコード入力キー３２を利用してコードを入力すると、発信処理回路３４は、入力データをメモリ３８に格納するとともに、ディスプレイ３６に表示する。オペレータが、探索の開始を指示すると、発信処理回路３４によって、メモリ３８に格納されているコードが発信回路４０に供給され、アンテナ４２からコードデータが送信される。この送信信号は、各木型Ｋに取り付けられている無線タグ１０のアンテナ１２に受信され、受信処理回路１６に入力される。受信処理回路１６では、受信したコードデータと、メモリ１８に格納されている自分のコードデータが比較され、両者が一致したときは、発音体２０及び発光器２２が駆動される。【選択図】図１
2006240823.tif 000002
【特許請求の範囲】
【請求項１】
物品に取り付けられる無線タグであって、
外部からの信号を受信する受信手段，
取り付けられた物品のＩＤ情報が格納されたメモリ手段，
外部に対して意思を表示する意思表示手段，
前記受信手段によって受信した信号のＩＤ情報と、前記メモリ手段に格納されたＩＤ情報を比較し、両者が一致したときに、前記意思表示手段を駆動する受信処理手段，
を備えたことを特徴とする無線タグ。
【請求項２】
物品に取り付けられる無線タグであって、
外部との信号の授受を行なう送受信手段，
取り付けられた物品のＩＤ情報が、物品の属性情報とともに格納されたメモリ手段，
外部に対して意思を表示する意思表示手段，
前記送受信手段によって受信した信号のＩＤ情報と、前記メモリ手段に格納されたＩＤ情報を比較し、両者が一致したときに前記意思表示手段を駆動するとともに、前記メモリ手段に格納された属性情報を、前記送受信手段によって外部に送信する送受信処理手段，
を備えたことを特徴とする無線タグ。
【請求項３】
自己の位置を計測する位置計測手段を備えており、前記意思表示手段が、前記位置計測手段によって計測した位置情報を出力することを特徴とする請求項１又は２記載の無線タグ。
【請求項４】
請求項１〜３のいずれかに記載の無線タグを、当該物品の組み立てに必要な部品に埋め込んだことを特徴とする無線タグ。
【請求項５】
入力手段及び表示手段を備えており、請求項１記載の無線タグのいずれかを呼び出すための呼出機であって、
ＩＤ情報を指定するＩＤ指定手段，
ＩＤ情報を送信する送信手段，
前記ＩＤ指定手段によって指定されたＩＤ情報を、前記送信手段によって前記無線タグに送信する送信処理手段，
を備えたことを特徴とする呼出機。
【請求項６】
入力手段及び表示手段を備えており、請求項２記載の無線タグのいずれかを呼び出すための呼出機であって、
ＩＤ情報を指定するＩＤ指定手段，
前記無線タグとの間で情報を送受信する送受信手段，
前記ＩＤ指定手段によって指定されたＩＤ情報を、前記送受信手段によって前記無線タグに送信するとともに、該当する無線タグからの属性情報を前記送受信手段によって受信する送受信処理手段，
を備えたことを特徴とする呼出機。
【請求項７】
入力手段及び表示手段を備えており、請求項３記載の無線タグのいずれかを呼び出すための呼出機であって、
ＩＤ情報を指定するＩＤ指定手段，
前記無線タグとの間で情報を送受信する送受信手段，
前記ＩＤ指定手段によって指定されたＩＤ情報を、前記送受信手段によって前記無線タグに送信するとともに、該当する無線タグからの位置情報を前記送受信手段によって受信する送受信処理手段，
を備えたことを特徴とする呼出機。
【請求項８】
請求項１〜３記載の無線タグを多数の物品に取り付けるとともに、これらの無線タグのうちの所望のものを、請求項５〜７記載の呼出機でそれぞれ呼び出すことを特徴とする物品管理システム。
【発明の詳細な説明】
【技術分野】
【０００１】
本発明は、各種の物品を管理するための無線タグ，呼出機，物品管理システムに関し、例えば、置場内に収容されている多数の物品の中から所望のものを見つけ出す場合に好適な物品管理システムに関するものである。
【背景技術】
【０００２】
物品の管理システムとしては、例えば下記特許文献１に記載された所在確認対象物の所在確認システムがある。これは、廃棄物封入容器に自発的に発信するＲＦＩＤタグを装着するとともに、ＲＦＩＤタグの発信信号をデータ読取機で読み取り、廃棄物封入容器の所在確認を行なうようにしたものである。
【特許文献１】特開２００２−２１６０８６公報
【発明の開示】
【発明が解決しようとする課題】
【０００３】
ところで、物品、例えば自動車のエンジン，門扉，各種部品，マンホールなどの鋳物を製造する際には模型を使用する。模型（木型，金型，樹脂型など）は、鋳物製品（以下単に「製品」という）の製造を終了すると、通常は倉庫などの置場に保管される。そして、再び製品を製造するときに、該当する模型を置場から取り出して使用する。
【０００４】
この場合に、多数の製品を扱う鋳物工場の場合、当然模型も相当数となり、これらが置場内に保管されることとなる。従って、置場内から所望の模型を探し出すという作業が必要となる。ここで、例えば製品間にわずかな寸法差しかないような場合は、ほぼ同じ外観を呈する模型が多数存在することになり、それらがいずれも置場内に保管される。このため、所望の製品の模型を探し出すのに、手数を要するようになる。上述した背景技術によれば、模型が置場内にあるかどうかの所在確認はできても、所望のものを探し出すことはできない。
【０００５】
また、各模型には、それぞれ製品の顧客先や製造年月日などの情報（以下「属性情報」という）があり、これらは、顧客別の管理用ファイルや模型管理用ファイルとして管理されるが、それらのファイルが破損したり紛失したりすると、いずれの模型がいずれの製品に関係するものか分からなくなってしまう恐れがある。
【０００６】
本発明は、以上の点に鑑みたもので、その目的は、置場に置かれている多数の物品の中から所望のものを簡単に探し出すことである。他の目的は、物品の属性情報とともに、物品の管理を行なうことである。
【課題を解決するための手段】
【０００７】
本発明は、物品に取り付けられる無線タグが意思表示手段を備えており、呼出機から呼び出されたときに、無線タグが意思表示を行なうことを特徴とする。主要な形態の一つでは、意思表示のときに、物品の属性情報も出力する。あるいは、自己の位置情報を、意思表示として出力する。他の形態によれば、本発明の無線タグは、物品の組み立てに必要な部品に埋め込まれる。本発明の前記及び他の目的，特徴，利点は、以下の詳細な説明及び添付図面から明瞭になろう。
【発明の効果】
【０００８】
本発明によれば、呼出機で呼び出された無線タグが意思表示する。これを手がかりにすることで、置場内の物品を簡単に探し出すことができる。また、無線タグに物品の属性情報を格納することで、物品をその属性情報とともに管理することができる。更に、物品の位置情報を取得することで、当該物品の位置を知ることができる。
【発明を実施するための最良の形態】
【０００９】
以下、本発明を実施するための最良の形態を、実施例に基づいて詳細に説明する。
【実施例１】
【００１０】
図１(A)には、実施例１の無線タグ１０と、その呼出機３０の構成が示されている。無線タグ１０から説明すると、受信するアンテナ１２は、受信回路１４に接続されており、受信回路１４は受信処理回路１６に接続されている。この受信処理回路１６には、メモリ１８，発音体２０，発光器２２が接続されている。これらの各部には、バッテリ２４から必要な駆動電力が供給されている。
【００１１】
以上の各部のうち、アンテナ１２は、呼出機３０から出力された送信信号を受信するためのものである。本実施例では、電波により無線で呼出機３０と無線タグ１０の間の信号の送受信が行なわれる。キャリア周波数としては、比較的広範囲に電波が届くような帯域が利用される。受信回路１４は、アンテナ１２の受信信号からコードデータを得るための回路で、コードデータは受信処理回路１６に供給される。メモリ１８には、その無線タグ１０が取り付けられる物品に予め付与されたコードのデータが格納されている。受信処理回路１６は、例えばＣＰＵ，ＲＡＭ，ＲＯＭなどによって構成されており、受信回路１４から得られたコードとメモリ１８に格納されているコードを比較し、両者が一致したときは、発音体２０や発光器２２を駆動する機能を備えている。
【００１２】
次に、呼出機３０について説明すると、コード入力キー３２は発信処理回路３４に接続されている。この発信処理回路３４には、ディスプレイ３６，メモリ３８，発信回路４０が接続されている。また、発信回路４０の発信信号の出力側はアンテナ４２に接続されている。図２には、呼出機３０の外観が示されている。
【００１３】
以上の各部のうち、コード入力キー３２は、例えば数字，アルファベット，記号などの入力キーなどを備えており、各物品のコード入力や探索開始指示などの操作を行うことができるようになっている。ディスプレイ３６は、コード入力キー３２によって入力されたコードを表示するための装置である。メモリ３８は、コード入力キー３２によって入力されたデータを一時的に格納するためのものである。発信処理回路３４は、例えばＣＰＵ，ＲＡＭ，ＲＯＭなどによって構成されており、コード入力キー３２による入力データを一時的にメモリ３８に保存するとともに、コードについてはディスプレイ３６に表示し、探索開始が指示されたときは、発信回路４０にコードを出力する機能を備えている。発信回路４０は、コードが入力されたときに、これに基づいてキャリア信号を変調し、アンテナ４２から出力するためのものである。
【００１４】
なお、図１(A)において、各回路間に設けられたインターフェース，Ａ／Ｄ変換回路などは省略している（実施例２以下も同様）。
【００１５】
図１(B)には、鋳物で使用する木型のコード対応表の一例が示されている。同図において、最上段のコード「Ａ０１−Ｗ０１５Ｂ」の木型は、エンジンに関するもので、顧客先はＡ社，種別は枠型，中子点数は１５，中子プロセスはβセットとなっている。詳細データには、必要に応じて木型の製造年月日，製造者，対応するＣＡＤデータのファイル名などの適宜の情報が含まれる。コード中、「Ａ」は顧客先を表し、「０１」はエンジンであることを表す。「Ｗ」は枠型であることを表し、「０１５」は中子点数を表し、「Ｂ」は中子プロセスがβセットであることを表す。次のコード「Ａ０１−Ｇ０１０Ｂ」の木型は、同じ顧客のエンジンの木型であり、種別は原型，中子点数は１０，中子プロセスはβセットである。次のコード「Ａ０１−Ｐ００８Ｋ」の木型は、同じ顧客のエンジンの木型であり、種別はプレート型，中子点数は８，中子プロセスはコールドである。以下、図示の通りである。このようなコード対応表を参照することで、所望の木型のコードを知ることができる。
【００１６】
図２には、上述した無線タグ１０を置場内の木型に取り付けた様子が示されている。各木型Ｋには、上述した無線タグ１０がそれぞれ側面に取り付けられており、図１(B)に示したコードが各無線タグ１０のメモリ１８に記録されている。
【００１７】
次に、本実施例の全体的な動作を説明する。木型を探す必要が生じたときは、まず、図１(B)に示したコード対応表を参照して、捜索対象となる木型のコードを見つける。例えば、鉄道車輪の木型であって顧客先がＰ社の木型を探すときは、コード対応表から「Ｐ２４−Ｐ０１０Ｋ」，「Ｐ２４−Ｐ００２Ｋ」が該当する木型のコードであることが分かる。そこで、探索をするオペレータは、呼出機３０のコード入力キー３２を利用して前記コードをそれぞれ入力する。あるいは、Ｐ社の鉄道車輪であることを表すコード「Ｐ２４」と入力する。すると、呼出機３０の発信処理回路３４は、入力データをメモリ３８に格納するとともに、ディスプレイ３６に表示する。オペレータは、この表示を見て入力データが正しいかどうかを確認し、探索の開始を指示する。すると、発信処理回路３４によって、メモリ３８に格納されているコードが発信回路４０に供給され、アンテナ４２からコードデータが送信される。この送信信号は、各木型Ｋに取り付けられている無線タグ１０のアンテナ１２に受信される。なお、電波の到達距離が狭いときは、オペレータは、呼出機３０を持って置場内を移動するようにする。
【００１８】
すべての無線タグ１０では、アンテナ１２による受信信号が受信回路１４に入力され、ここで受信信号からコードデータが得られて受信処理回路１６に入力される。受信処理回路１６では、受信したコードデータと、メモリ１８に格納されている自分のコードデータが比較される。その結果、両者が一致したときは、発音体２０及び発光器２２が駆動される。すなわち、発音体２０から音が出力され、発光器２２が発光する。
【００１９】
例えば、図２において、木型Ｋ２０，Ｋ４２でコードデータが一致したときは、それらの無線タグ１０の発音体２０及び発光器２２が駆動される。オペレータは、必要としている木型が置場内のいずれの場所にあるかを、音や光を頼りに知ることができる。呼出機３０におけるコード入力及び捜索の手法として、コードの不明箇所に「？」を入れたときは、その箇所がどのようなコードとなっているかを問わず検索するという設定にすると都合がよい。例えば、Ａ社の中子プロセスがβセットの木型を探すときは、「Ａ？？−？？？？Ｂ」と入力するという具合である。
【実施例２】
【００２０】
次に、本発明の実施例２について説明する。なお、上述した実施例１と対応する構成要素には同一の符号を用いる。上述した実施例１では、コード対応表を使用し、これから木型のコードを見つけ出したが、本実施例では、その作業が簡略化できる。図３(A)に示すように、呼出機５０の発信処理回路５２に接続されたメモリ５４には、図１(B)に示したコード対応表５６が格納されている。そして、データ入力キー５８によって、名称，顧客名などのデータを入力できるようになっている。ノートブック型のＰＣ（パーソナルコンピュータ）などを利用するとよい。なお、無線タグ１０の構成は、実施例１と同様である。
【００２１】
次に、本実施例の動作を説明すると、オペレータは、探したい木型のデータをデータ入力キー５８を使用して入力する。例えば、顧客名，製品名称などを入力する。すると、発信処理回路５２は、入力データに対応するコードを、コード対応表５６から検索し、該当するものをディスプレイ３６に表示する。例えば、Ａ社の木型を探したいときは、「Ａ」を入力する。すると、図３(B)に示すように、Ａ社の木型のリストが表示される。オペレータは、この表示を参照して、該当する木型のコードを簡単に知ることができ、更にデータ入力キー５８を使用し、表示画面上で該当するコードを選択する。ＰＣであれば、該当するコードをマウスでクリックする。すると、発信処理回路５２は、選択されたコードを発信回路４０に出力する。以下の動作は、前記実施例１と同様である。このように、本実施例によれば、コード対応表５６から該当する木型のコードを探す作業が呼出機５０で行なわれるので、木型を探す作業の効率化を図ることができる。
【実施例３】
【００２２】
次に、本発明の実施例３について説明する。上述した実施例は、いずれもコードデータを無線タグ側に送信し、該当する無線タグが応答するという例であるが、本実施例は、無線タグ側に木型の属性情報を記憶させるようにした例である。図４に示すように、本実施例の無線タグ６０では、中央処理回路６６に、発音体２０，発光器２２，送受信回路６４，メモリ６８がそれぞれ接続されている。送受信回路６４には、送受信用のアンテナ６２が接続されている。以上の各部のうち、メモリ６８には、当該木型のコードのみならず、他の属性情報６９も格納されている。
【００２３】
本実施例の呼出機を使用した呼出動作は、上述した実施例と同様である。すなわち、アンテナ６２を介して送受信回路６４で受信したコードデータをメモリ６８に格納されているコードデータと中央処理回路６６で比較し、両者が一致すると発音体２０や発光器２２が駆動される。
【００２４】
更に、本実施例では、呼出機などから要求があったときに、中央処理回路６６によってメモリ６８から属性情報６９が読み出され、送受信回路６４，アンテナ６２を介して外部に出力される。従って、例えば、コードに対応する属性情報が不明なときは、当該属性情報を無線タグ６０から読み出すことができる。また、木型を収容する置場が複数あり、各置場毎に管理しているような場合に、木型が置場間で移動しても、属性情報も一緒に移動するので、移動先の置場における管理に好都合である。
【実施例４】
【００２５】
次に、本発明の実施例４について説明する。本実施例は、木型の置場が多数あるような場合に好適な例である。図５には、本実施例の呼出機と無線タグの構成が示されている。まず、無線タグ１００側から説明すると、本実施例では、上述した発音体２０や発光器２２の代わりにＧＰＳ位置計測装置１０２が設けられており、中央処理回路１０４に接続されている。ＧＰＳ位置計測装置１０２は、ＧＰＳを利用して自己の位置を計測する装置で、適当な時間間隔で位置を計測する。例えば、置場内における木型の移動が頻繁に行なわれるような場合には毎始業時毎に行なう、頻繁でないときは１ヶ月もしくは１週間に１回に行なう，などという具合である。ＧＰＳ位置計測装置１０２によって計測された位置情報は、中央処理回路１０４によってメモリ６８に格納される。図示の例では、当該無線タグ１００が取り付けられる木型の属性情報１０６の一部として保存される。
【００２６】
次に、呼出機１１０は、呼出機本体１１２と呼出機端末１２０によって構成されている。まず呼出機本体１１２から説明すると、基本的な構成は上述した実施例と同様であるが、中央処理回路１１４によって呼出機端末１２０とのデータの授受が行なわれるようになっており、メモリ５４に置場見取図データ１１６が格納されている。これらのうち、中央処理回路１１４は、呼出機端末１２０に対して捜索対象の木型のコードデータを出力するとともに、端末１２０から入力された木型の位置情報に基づいて、ディスプレイ３６の置場見取図上に捜索された木型の位置を表示する機能を備えている。置場見取図データ１１６は、ディスプレイ３６上に複数の置場の見取図を表示するためのものである。
【００２７】
一方、呼出機端末１２０は、送受信回路１２２とアンテナ１２４を備えており、図６に示すように、各置場内に一つ若しくは複数個設けられる。呼出機端末１２０から出力される電波が置場にある木型Ｋの無線タグ１００のすべてに到達するのであれば、一つの呼出機端末１２０のみを設置すればよいが、置場が広い場合、多数の置場が離れている場合には、すべての無線タグ１００に電波が届くように、複数の呼出機端末１２０を用意する。図６は、置場１３０Ａ，１３０Ｂ，・・・，１３０Ｎがあり、それぞれに呼出機端末１２０が設けられている例である。呼出機本体１１２と呼出機端末１２０は、有線で接続してもよいし、無線で接続してもよい。有線で接続する場合には、呼出機本体１１２から駆動用の電力を供給することができる。もちろん、各端末に駆動用のバッテリを搭載するようにしてもよい。
【００２８】
次に、本実施例の動作を説明する。各置場１３０Ａ，１３０Ｂ，・・・，１３０Ｎに置かれている木型Ｋに取り付けられている無線タグ１００は、予め設定された時間になると、中央処理回路１０４がＧＰＳ位置計測装置１０２を駆動し、これによって自己の位置を計測し、位置情報を属性情報１０６の一部としてメモリ６８に格納する。
【００２９】
木型Ｋを捜索するときは、オペレータは、上述した実施例と同様に、捜索対象の木型Ｋの属性情報を呼出機本体１１２のデータ入力キー５８によって入力し、ディスプレイ３６上で所望のものを選択する。すると、選択された木型Ｋのコードデータが複数の呼出機端末１２０にそれぞれ出力される。各呼出機端末１２０は、入力されたコードデータに基づいて電波をアンテナ１２４から送信する。
【００３０】
すべての木型Ｋの無線タグ１００の中央処理回路１０４は、前記実施例と同様に電波を受信し、受信したコードをメモリ６８の属性情報１０６に含まれる自己のコードと比較する。その結果、両者が一致した場合、中央処理回路１０４は、属性情報１０６から位置情報を読み出し、送受信回路６４，アンテナ６２を介して送信する。送信された位置情報は、呼出機端末１２０で受信され、更に呼出機本体１１２に送られる。呼出機本体１１２では、中央処理回路１１４により、メモリ５４から置場見取図データ１１６が読み出され、ディスプレイ３６に置場見取図が表示されるとともに、前記位置情報に該当する置場内の位置が図６に示すように表示される。この表示により、オペレータは、捜索対象の木型Ｋの位置を知ることができる。
【００３１】
本実施例によれば、木型Ｋに取り付けた無線タグ１００が自動的に自己の位置を計測するので、使用した木型Ｋを再び元の位置に戻す必要がなく、置場１３０Ａ，１３０Ｂ，・・・，１３０Ｎの適当な位置に戻せばよい。また、本実施例において、無線タグ１００に発音体や発光部を設けるようにすると、オペレータが該当する置場に行ったときに、いずれの木型であるかを簡単に見つけることができ、都合がよい。
【実施例５】
【００３２】
次に、本発明の実施例５について説明する。図２に示した実施例では、無線タグを木型の側面に取り付けたが、その取り付け位置は適宜設定してよい。木型に対する無線タグの取り付け方法としては、ネジ手段，接着剤，接着テープなどいずれの手法でもよいが、木型の場合、木ネジを使用して組み立てる場合が多い。本実施例は、そのような点に着目したもので、図７(A)に示すように、木ネジ７０の内部に無線タグ回路７２を埋め込むとともに、木ネジ７０の露出面に発音体もしくは発光器７４と、アンテナ７６を設けている。このような無線タグ内蔵型の木ネジを、木型の組み立てに使用することで、木型に無線タグを取り付けるための作業を簡略化することができる。また、取り付けのためのネジやテープなどを必要としないという利点もある。ボルト，ナット，リベットなどに無線タグを埋め込むようにしてもよい。図７(B)の例は、袋ナット８０の袋内部に、無線タグ回路７２を埋め込むとともに、露出面に発音体もしくは発光器７４と、アンテナ７６を設けた例である。
【００３３】
なお、本発明は、上述した実施例に限定されるものではなく、本発明の要旨を逸脱しない範囲内において種々変更を加え得ることができる。例えば、以下のものも含まれる。
(1)前記実施例では、呼出機をオペレータが持ち運ぶようにしたが、例えば、倉庫の天井や壁面に、すべての木型の無線タグに電波が届くように、多数の呼出機を設置してもよい。
(2)前記実施例では、無線タグを木型の側面に取り付けたが、探索しやすい位置としてよい。また、アンテナの取り付け位置と、発音体や発光器の取り付け位置を、それぞれ別個に位置決めしてよい。
(3)前記実施例では、電波を利用して呼出機と無線タグとの信号授受を行ったが、赤外線，超音波，レーザなどの光線を利用してもよい。
(4)前記実施例では、本発明を鋳物の木型に適用した場合を示したが、本発明の適用対象としては、それに限らず、各種の物品に適用可能である。
(5)前記実施例に示したコードも一例であり、適宜設定してよい。また、顧客名などをそのままコードとして使用するようにしてもよい。
(6)物品の置場としては、倉庫などが一般的であるが、必ずしも屋内である必要はなく、屋外であってもよいし、作業現場の周囲に多数の物品がおかれているような場合でもよい。
(7)呼出機としては、パーソナルコンピュータのみならず、携帯電話や携帯情報端末で代用するようにしてもよい。
(8)前記実施例では、タグ側の意思表示手段として、発音手段，発光手段，位置出力手段の例を示したが、他の各種の手段，例えば発色手段，発煙手段，発臭手段などを利用してよい。
(9)前記実施例では、ＧＰＳによる位置計測精度が十分高く、隣接する木型の位置を識別できるとしたが、ＧＰＳの精度が低いときは、まず、ＧＰＳを利用して捜索対象の木型がいずれの置場にあるかを特定し、次に、当該置場内において、無線タグの発音体や発光部を頼りに、該当する木型を探すことで、同様の目的を達成することができる。
(10)前記実施例では、主として置場内における物品の捜索に本発明を適用した場合を説明したが、物品の整理，整頓など、管理全般に本発明は適用可能である。
【産業上の利用可能性】
【００３４】
本発明によれば、多数の物品の中から必要なものを簡単に探し出すことができるので、置場内における物品の管理に好適である。
【図面の簡単な説明】
【００３５】
【図１】(A)は本発明の実施例１の構成を示すブロック図，(B)はコード対応表の一例を示す図である。
【図２】前記実施例１における置場内の物品の様子を示す説明図である。
【図３】(A)は本発明の実施例２の呼出機を示すブロック図，(B)はディスプレイの表示例を示す図である。
【図４】本発明の実施例３の無線タグを示すブロック図である。
【図５】本発明の実施例４の構成を示すブロック図である。
【図６】前記実施例４の置場における配置と表示例を示す図である。
【図７】本発明の実施例５の無線タグを示すブロック図である。
【符号の説明】
【００３６】
１０：無線タグ
１２：アンテナ
１４：受信回路
１６：受信処理回路
１８：メモリ
２０：発音体
２２：発光器
２４：バッテリ
３０：呼出機
３２：コード入力キー
３４：発信処理回路
３６：ディスプレイ
３８：メモリ
４０：発信回路
４２：アンテナ
４４：バッテリ
５０：呼出機
５２：発信処理回路
５４：メモリ
５６：コード対応表
５８：データ入力キー
６０：無線タグ
６２：アンテナ
６４：送受信回路
６６：中央処理回路
６８：メモリ
６９：属性情報
７０：木ネジ
７２：無線タグ回路
７４：発光器
７６：アンテナ
８０：袋ナット
１００：無線タグ
１０２：ＧＰＳ位置計測装置
１０４：中央処理回路
１０６：属性情報
１１０：呼出機
１１２：呼出機本体
１１４：中央処理回路
１１６：置場見取図データ
１２０：呼出機端末
１２２：送受信回路
１２４：アンテナ
１３０Ａ，１３０Ｂ，１３０Ｎ：置場
Ｋ：木型
【図１】
2006240823.tif 000003
【図２】
2006240823.tif 000004
【図３】
2006240823.tif 000005
【図４】
2006240823.tif 000006
【図５】
2006240823.tif 000007
【図６】
2006240823.tif 000008
【図７】
2006240823.tif 000009